(57)【特許請求の範囲】
【請求項１】
人体に取り付けられて、筋肉の位置、骨格の位置又は臓器の位置を体表から特定する訓練に用いられるフィジカルイグザミネーション練習用ウエアであって、
透明又は半透明な樹脂からなる一方向に長いシートを長手方向に直交する折り目で折って設けられた、胸及び腹を覆う前カバーと、背中を覆う後カバーとが、前記折り目まで距離を有する左の接続領域及び右の接続領域でそれぞれ重なり量Ｓ、Ｔを有して連結されて、左腕を通す左腕挿通部が前記折り目と前記左の接続領域の間に形成され、右腕を通す右腕挿通部が前記折り目と前記右の接続領域の間に形成され、胴を通す胴挿通部が前記左の接続領域と前記右の接続領域の間に形成され、前記折り目に切り込みをいれて、首が通される首挿通部が形成され、前記前カバー及び前記後カバーは、前記重なり量Ｓ、Ｔが調整されて、前記人体に密着することを特徴とするフィジカルイグザミネーション練習用ウエア。
【請求項２】
請求項１記載のフィジカルイグザミネーション練習用ウエアにおいて、前記前カバー及び前記後カバーの左右の連結は、粘着部材によりそれぞれなされることを特徴とするフィジカルイグザミネーション練習用ウエア。
【請求項３】
請求項１又は２記載のフィジカルイグザミネーション練習用ウエアにおいて、前記前カバーには、前記胸を覆って見えなくする胸あてシートが、粘着部材により取り付けられることを特徴とするフィジカルイグザミネーション練習用ウエア。
【請求項４】
請求項１〜３のいずれか１項に記載のフィジカルイグザミネーション練習用ウエアにおいて、前記シートは矩形状であることを特徴とするフィジカルイグザミネーション練習用ウエア。
【発明の詳細な説明】
【技術分野】
【０００１】
本発明は、フィジカルイグザミネーション練習用ウエアに関する。
【背景技術】
【０００２】
医療現場においては、患者に対する問診、打診、聴診、視診等のフィジカルイグザミネーション（身体診察）を通して、症状の把握や異常の発見等が行われる。フィジカルイグザミネーションでは、患者の体表から臓器や骨格等の位置を特定することが前提であり、その技術（以下、「臓器等の位置特定技術」ともいう）の習得が必要である。
この点、例えば、特許文献１に記載されているエプロンや衣類を用いて、各臓器の位置や大きさを学ぶことは、臓器等の位置特定技術の習得に役立つと考えられる。
【先行技術文献】
【特許文献】
【０００３】
【特許文献１】実開平４−３３６１０号公報
【発明の概要】
【発明が解決しようとする課題】
【０００４】
また、人に着用させた衣類に対して所定の基準点や基準線を付し、その基準点や基準線を基にして、内臓等の位置を特定する訓練は、臓器等の位置特定技術を習得する上で効果的であることが、確認されている。
しかしながら、人体に密着していない衣類を用いると、衣類が人体に対してずれやすく、衣類に付された基準点や基準線の人体に対する位置が、それらを衣類に付し始めた直後と、それらを衣類に付し終わった時点とで、異なるという課題があった。そして、この課題は、異なる体格に応じた大きさの専用の衣類を用意することで解決できるが、それらの衣類を用意するには製造コストの上昇が伴う。
本発明は、かかる事情に鑑みてなされるもので、一つの大きさで、異なる体型の人体に密着可能なフィジカルイグザミネーション練習用ウエアを提供することを目的とする。
【課題を解決するための手段】
【０００５】
前記目的に沿う本発明に係るフィジカルイグザミネーション練習用ウエアは、人体に取り付けられて、筋肉の位置、骨格の位置又は臓器の位置を体表から特定する訓練に用いられるフィジカルイグザミネーション練習用ウエアであって、透明又は半透明な樹脂からなる一方向に長いシートを長手方向に直交する折り目で折って設けられた、胸及び腹を覆う前カバーと、背中を覆う後カバーとが、前記折り目まで距離を有する左の接続領域及び右の接続領域でそれぞれ重なり量Ｓ、Ｔを有して連結されて、左腕を通す左腕挿通部が前記折り目と前記左の接続領域の間に形成され、右腕を通す右腕挿通部が前記折り目と前記右の接続領域の間に形成され、胴を通す胴挿通部が前記左の接続領域と前記右の接続領域の間に形成され、前記折り目に切り込みをいれて、首が通される首挿通部が形成され、前記前カバー及び前記後カバーは、前記重なり量Ｓ、Ｔが調整されて、前記人体に密着する。
【０００６】
本発明に係るフィジカルイグザミネーション練習用ウエアにおいて、前記前カバー及び前記後カバーの左右の連結は、粘着部材によりそれぞれなされるのが好ましい。
【０００７】
【０００８】
【０００９】
【００１０】
本発明に係るフィジカルイグザミネーション練習用ウエアにおいて、前記前カバーには、前記胸を覆って見えなくする胸あてシートが、粘着部材により取り付けられるのが好ましい。
【００１１】
本発明に係るフィジカルイグザミネーション練習用ウエアにおいて、前記シートは矩形状であるのが好ましい。
【発明の効果】
【００１２】
本発明に係るフィジカルイグザミネーション練習用ウエアは、前カバー及び後カバーが、左の接続領域及び右の接続領域でそれぞれ重なり量Ｓ、Ｔを有して連結されるので、重なり量Ｓ、Ｔを調整して、人体に密着させることができ、異なる体格の人体に密着して取り付けることが可能である。
【図面の簡単な説明】
【００１３】
【図１】（Ａ）、（Ｂ）はそれぞれ、本発明の一実施の形態に係るフィジカルイグザミネーション練習用ウエアの装着前の状態、及び、同フィジカルイグザミネーション練習用ウエアを装着する際の状態を示す説明図である。
【図２】（Ａ）、（Ｂ）はそれぞれ、同フィジカルイグザミネーション練習用ウエアを人体に装着した後の、正面図及び背面図である。
【図３】同フィジカルイグザミネーション練習用ウエアの人体に装着する際の状態を示す説明図である。
【発明を実施するための形態】
【００１４】
続いて、添付した図面を参照しつつ、本発明を具体化した実施の形態につき説明し、本発明の理解に供する。
図１（Ａ）、（Ｂ）、図２（Ａ）、（Ｂ）に示すように、本発明の一実施の形態に係るフィジカルイグザミネーション練習用ウエア１０は、人体Ｐに取り付けられて、筋肉の位置、骨格の位置又は臓器の位置の体表からの特定を補助するものである。以下、詳細に説明する。
【００１５】
フィジカルイグザミネーション練習用ウエア１０は、図１（Ａ）、（Ｂ）に示すように、矩形状（長方形状）のシート１１を、長手方向に直交する折り目１２で折って、人体（人）Ｐの胸及び腹を覆う前カバー１３と、人体Ｐの背中を覆う後カバー１４とが設けられる。即ち、折り目１２は、シート１１の幅方向（短手方向）に沿っている。
以下、前カバー１３及び後カバー１４のそれぞれにおいて、人体Ｐに接する側を裏面、裏面の反対側の面を表面とする。
【００１６】
シート１１は、透明又は半透明な樹脂からなり、縦の長さが１００〜１８０ｃｍ、横の長さが４０〜７０ｃｍ、厚みが０．１〜１．０ｍｍである。ここで、「透明又は半透明」とは、人体Ｐに取り付けられたシート１１を通して人体Ｐの体表の色や、体表の凹凸が視認可能であることを意味する。
本実施の形態では、シート１１は、合成樹脂（具体的にはポリビニルアルコール）であるが、これに限定されず、天然樹脂であってもよい。
【００１７】
折り目１２は、図１（Ａ）に示すように、広げた状態の（折る前の状態の）シート１１の長手方向中央に位置し、シート１１の幅方向の一端から他端にかけて設けられている。シート１１は、折り目１２を中心にして分けられる一側及び他側が、実質的に同じ面積であり、折り目１２を基準にシート１１を折って設けられる前カバー１３及び後カバー１４は、面積が実質的に等しい。
【００１８】
折り目１２には、折り目１２に沿った長さ１５〜４０ｃｍの直線状の切り込み１５と、折り目１２に直交する長さ１５〜２０ｃｍの直線状の切り込み１６が形成されている。切り込み１５、１６はそれぞれ、中心がシート１１の長手方向中心、かつ、シート１１の幅方向中心に位置し、切り込み１５、１６によって、図２（Ａ）、（Ｂ）に示すように、人体Ｐの首が通される首挿通部１７が形成されている。即ち、折り目１２に十文字に切り込み１５、１６をいれて、首挿通部１７が形成されている。
なお、首挿通部は、切り込み１５、１６によって形成されている必要はなく、例えば、切り込み１５のみによって形成することや、シート１１の中央を円状に切り抜いた切り込みによって形成することもできる。
【００１９】
シート１１には、図１（Ａ）に示すように、折り目１２に沿って折られることで前カバー１３となる領域の裏面の左右に、予め、両面テープ（粘着部材の一例）１８、１９がそれぞれ貼り付けられている。ここで、シート１１を折り目１２で折って前カバー１３となる領域、シート１１を折り目１２で折って後カバー１４となる領域、前カバー１３及び後カバー１４それぞれにおいて、人体Ｐの左側を覆う側を左側、人体Ｐの右側を覆う側を右側とする。以下、シート１１を折り目１２で折って前カバー１３となる領域を、単に「前カバー１３となる領域」とも言い、シート１１を折り目１２で折って後カバー１４となる領域を、単に「後カバー１４となる領域」とも言う。
【００２０】
両面テープ１８、１９は、長さが３０〜５０ｃｍであり、前カバー１３となる領域の前カバー１３の裏面となる面で、折り目１２まで１５〜３０ｃｍの距離を有する位置に貼り付けられ、シート１１の長手方向に沿っている。なお、両面テープ１８、１９の長さは、１０〜２０ｃｍであっても良い。
前カバー１３となる領域に一側の面が貼り付けられた両面テープ１８、１９は、それぞれ他側の面に図示しない保護シートが貼り付けられ、両面テープ１８、１９の各他側の面は、保護シートが取り外されることによって、対象物に貼り付け可能な状態となる。
なお、両面テープ１８、１９は、前カバー１３となる領域でなく、後カバー１４となる領域に貼り付けられていてもよい。
【００２１】
次に、フィジカルイグザミネーション練習用ウエア１０を、人体Ｐに装着する方法について説明する。
まず、折り目１２で折られて前カバー１３及び後カバー１４が設けられたシート１１は、図３に示すように、首挿通部１７に首が通され、前カバー１３の裏面に胸及び腹が接し、後カバー１４の裏面に背中が接した状態で、人体Ｐの上半身に被せられる。フィジカルイグザミネーション練習用ウエア１０の装着対象が女性の場合、シート１１が人体Ｐの上半身に被せられた後、前カバー１３の裏面に、人体Ｐの胸を覆って見えなくする胸あてシート２０が、取り付けられる。胸あてシート２０は、前カバー１３に粘着部材の一例である両面テープで取り付けられるので、位置調整が容易である。
【００２２】
次に、後カバー１４の左下側及び右下側が、図２（Ａ）に示すように、人体Ｐの左脇腹及び右脇腹にそれぞれ巻き付けられ、後カバー１４の左下側の裏面が、人体Ｐの左脇腹に当接し、後カバー１４の右下側の裏面が、人体Ｐの右脇腹に当接した状態となる。
その後、前カバー１３の左下側が、図２（Ｂ）に示すように、人体Ｐの左脇腹に巻き付けられて、後カバー１４の左下側に上から重ねられ、前カバー１３の右下側が、人体Ｐの右脇腹に巻き付けられて、後カバー１４の右下側に上から重ねられる。このとき、重なり合っていない前カバー１３の左上側と後カバー１４の左上側の間には、人体Ｐの左腕が挿通され、重なり合っていない前カバー１３の右上側と後カバー１４の右上側の間には、人体Ｐの右腕が挿通されている。
【００２３】
そして、両面テープ１８、１９それぞれから保護シートが取り外され、両面テープ１８、１９が、後カバー１４の表面の左下側及び右下側にそれぞれ貼り付けられて、前カバー１３の左下側と後カバー１４の左下側が重なり量Ｓを有して重なって連結され、前カバー１３の右下側と後カバー１４の右下側が重なり量Ｔを有して重なって連結される。
ここで、前カバー１３の左下側と後カバー１４の左下側の重なり合った領域を、左の接続領域２１とし、前カバー１３の右下側と後カバー１４の右下側の重なり合った領域を、右の接続領域２２とする。
【００２４】
本実施の形態では、左の接続領域２１及び右の接続領域２２が、折り目１２まで１５〜３０ｃｍの距離を有する位置から折り目１２まで５０〜９０ｃｍの距離を有する位置にかけて設けられている。
そして、前カバー１３の左下側と後カバー１４の左下側の連結、及び、前カバー１３の右下側と後カバー１４の右下側の連結（以下、「前カバー１３及び後カバー１４の左右の連結」とも言う）によって、折り目１２と左の接続領域２１の間に、人体Ｐの左腕が通される左腕挿通部２３が形成され、折り目１２と右の接続領域２２の間に、人体Ｐの右腕が通される右腕挿通部２４が形成され、左の接続領域２１と右の接続領域２２の間に、人体Ｐの胴が通される胴挿通部２５が形成される。
【００２５】
また、前カバー１３及び後カバー１４の左右の連結を行う際に、重なり量Ｓ、Ｔが調整されることによって、前カバー１３及び後カバー１４は、前カバー１３及び後カバー１４の左右の連結が完了時に、人体Ｐに密着して取り付けられる。具体的には、細身の人体Ｐに対しては、重なり量Ｓ、Ｔを大きくして、前カバー１３及び後カバー１４の左右を連結し、太い人体Ｐに対しては、重なり量Ｓ、Ｔを小さくして、前カバー１３及び後カバー１４の左右を連結する。
【００２６】
前カバー１３及び後カバー１４の左右の連結により、前カバー１３及び後カバー１４が人体Ｐに密着して取り付けられた時点で、フィジカルイグザミネーション練習用ウエア１０の人体Ｐへの装着は終了し、その後、前カバー１３の表面及び後カバー１４の表面に対して基準線や基準点を付す作業が行われる。基準線や基準点を付す作業は、フィジカルイグザミネーション練習用ウエア１０を装着した人に対して、その人以外の者が、ペンやクレヨン等を用いて行われる。
【００２７】
シート１１は、シート１１にクレヨンで描かれた基準線や基準点等が、濡れた布で拭かれることで消える合成樹脂を素材としているので、クレヨンにより基準線や基準点等を付す場合、その作業を、繰り返し行うことが可能である。
また、シート１１の素材として合成樹脂を採用することにより、前カバー１３の表面や後カバー１４の表面に付されたペンやクレヨンが、前カバー１３の裏面や後カバー１４の裏面に達せず、好適である。
【００２８】
前カバー１３及び後カバー１４は、人体Ｐに密着して取り付けられているので、基準線や基準点を前カバー１３や後カバー１４に付す作業は、前カバー１３及び後カバー１４が人体Ｐに対してずれるのを抑制した状態で行うことができる。
また、シート１１は透明又は半透明であるので、シート１１を通して人体Ｐの体表を視認しながら、基準線及び基準点を付すことや、基準線及び基準点を基にした臓器等の位置特定を行うことができ、臓器等の位置特定技術を効果的に習得することが可能である。なお、フィジカルイグザミネーション練習用ウエア１０の代わりに、一般的な肌着やＴシャツを、人体Ｐに着用させて、基準線等を付層とすると、人体Ｐの表面の色や形状を視認することができず、基準線等を正確な位置に付すのは困難である。
そして、シート１１は、厚みが０．１〜１．０ｍｍであるので、シート１１の上から触診や打診を行う際に、人体に直接触れるのに近い感覚で、それらを行うことができる。
【００２９】
【００３０】
更に、シート１１の素材として、ポリビニルアルコールを採用することによって、シート１１の上から聴診器を当てた際に、聴診器とシート１１が接触して生じる雑音を抑制できることが確認されている。よって、シート１１を着用した人体Ｐに対して聴診を行うことが可能である。
また、フィジカルイグザミネーション練習用ウエア１０は、シート１１に対し簡単な加工を施すことで形成されるので、製造コストの抑制が可能である。
【００３１】
以上、本発明の実施の形態を説明したが、本発明は、上記した形態に限定されるものでなく、要旨を逸脱しない条件の変更等は全て本発明の適用範囲である。
例えば、折り目は、シートの長手方向中心に設けられる必要はない。
また、シートは矩形状である必要はなく、一方向に長い形状であればよく、例えば、一方向に長い楕円形でもよい。
そして、胸あてシートを前カバーに取り付ける粘着部材や、前カバー及び後カバーの左右の連結を行う粘着部材は、片面テープであってもいいし、面状ファスナーであってもよい。
【００３２】
更に、胸あてシートを用いる代わりに、シートにおいて胸を覆う部分を予め着色して、胸を見えないようにしてもよく、また、フィジカルイグザミネーション練習用ウエアとは別に、人体に取り付けられて胸を覆う伸縮性のあるバンドを用意してもよい。
そして、首挿通部を予めシートに形成する代わりに、フィジカルイグザミネーション練習用ウエアを人体に装着させる段階で、首挿通部を形成してもよい。
【符号の説明】
【００３３】
１０：フィジカルイグザミネーション練習用ウエア、１１：シート、１２：折り目、１３：前カバー、１４：後カバー、１５、１６：切り込み、１７：首挿通部、１８、１９：両面テープ、２０：胸あてシート、２１：左の接続領域、２２：右の接続領域、２３：左腕挿通部、２４：右腕挿通部、２５：胴挿通部、Ｐ：人体
【図１】
0006366175.tif 000002
【図２】
0006366175.tif 000003
【図３】
0006366175.tif 000004